(57)【要約】【課題】つまみ片を設けた開口開始パネルの切れ目線の間のつなぎを切断して切れ目線形状に沿って開口し、紙箱に手を差し込んで内容物を取り出すときに、切断部分に手が当たっても、痛く無いようにした紙箱の切れ目線形状を提供する。【解決手段】大きく開口するための一対の開口線を平行に設けた板紙製の紙箱に設ける、紙箱の切れ目線形状であって、つまみ片の両端より一対の開口線にそれぞれ連続する、紙箱の切れ目線形状であって、線状の切れ目の切断方向上流側の先端に、引張る方向下流側に斜めで短小な第１切れ目を繋ぎ、線状の切れ目の切断方向下流側の先端に、引張る方向上流側に斜めで短小な第２切れ目を繋いだ、多数の屈曲線状の切れ目線を、つなぎを介して１列に並べたことを特徴とする。【選択図】図１
2011225230.tif 000002
【特許請求の範囲】
【請求項１】
大きく開口するための一対の開口線を平行に設けた開口面板と、
前記開口線の一端側に、該開口面板に接続され、該開口面板と反対側の端縁に、前記一対の開口線の平行の距離より狭い幅のつまみ片を設けた開口開始パネルを有する板紙製の紙箱に設ける、
前記つまみ片の両端より前記一対の開口線にそれぞれ連続する、紙箱の切れ目線形状であって、
線状の切れ目の切断方向上流側の先端に、引張る方向下流側に斜めで短小な第１切れ目を繋ぎ、
前記線状の切れ目の切断方向下流側の先端に、引張る方向上流側に斜めで短小な第２切れ目を繋いだ、多数の屈曲線状の切れ目線を、つなぎを介して１列に並べたことを特徴とする紙箱の切れ目線形状。
【請求項２】
前記線状の切れ目と第１切れ目、および／または、前記線状の切れ目と第２切れ目が曲線により繋がれていることを特徴とする請求項１に記載の紙箱の切れ目線形状。
【請求項３】
大きく開口するための一対の開口線を平行に設けた開口面板と、
前記開口線の一端側に、該開口面板に接続され、該開口面板と反対側の端縁に、前記一対の開口線の平行の距離より狭い幅のつまみ片を設けた開口開始パネルを有する板紙製の紙箱に設ける、
前記つまみ片の両端より前記一対の開口線にそれぞれ連続する、紙箱の切れ目線形状であって、
引張る方向下流側に凸の湾曲形状の線状の切れ目の切断方向上流側の先端に、引張る方向上流側に凸の湾曲形状の、引張る方向下流方向に伸びる第１切れ目を繋ぎ、
前記線状の切れ目の切断方向下流側の先端に、引張る方向上流側に凸の湾曲形状の、引張る方向下流方向に伸びる第２切れ目を繋いだ、
多数の曲線状の切れ目線を、つなぎを介して、前記第２切れ目と前記第１切れ目を切断方向に並行させ、１列に並べたことを特徴とする紙箱の切れ目線形状。
【発明の詳細な説明】
【技術分野】
【０００１】
本発明は、紙箱の切れ目線形状に関する。特に、菓子類や装飾品や日用品などを幅広く収容し、天面板などを切断して大きく開口する紙箱の切れ目線形状に関する。
【背景技術】
【０００２】
従来から、菓子類や装飾品や日用品などを幅広く収容する、例えば図１０、図１１に示すような、天面板などの開口面板１を切断して大きく開口する、板紙製の各種形状の紙箱４０、５０などが、一般に広く用いられている。
【０００３】
図１０（Ａ）は、天面板などの開口面板１を切断して大きく開口する、板紙製の紙箱の一例の斜視図である。図１０（Ｂ）は、図１０（Ａ）の板紙製の紙箱を開口した状態の斜視図である。
【０００４】
紙箱４０には、天面板に２本の開口線２を設けて、開口面板１とし、開口面板１に接続して、開口開始パネル４が設けられ、開口開始パネル４の端部には、つまみ片３が設けられている。そして、開口開始パネル４に、複数の切れ目線をつなぎｄを介して一列に並べた切れ目線形状５が、つまみ片３を形成する両端部の切れ込みより２本、開口線２に連続するように設けられている。
【０００５】
そして、つまみ片３を上に捲り上げるようにして、切れ目線形状５で、開口開始パネル４を切断して、さらに、後方に捲り、開口線２で開口面板１を切断して、図１０（Ｂ）のように、大きく開口することが出来る。
【０００６】
図１１（Ａ）は、天面板などの開口面板１を切断して大きく開口する、板紙製の紙箱の他の例の斜視図である。図１１（Ｂ）は、図１１（Ａ）の板紙製の紙箱を開口した状態の斜視図である。
【０００７】
紙箱５０には、天面板の両端部に２本の開口線２を設けて開口面板１とし、開口面板１に接続して、開口開始パネル４が設けられ、開口開始パネル４の左右方向の中央に切れ目線などによって、つまみ片３が設けられている。そして、つまみ片３上端の両側から左右に、それぞれ複数の切れ目線をつなぎｄを介して一列に並べた切れ目線形状５が２本、開口面板１と開口開始パネル４の間に、且つ、開口線２に連続するように設けられている。
【０００８】
そして、つまみ片３を上に捲り上げるようにして、切れ目線形状５で、開口面板１と開口開始パネル４の間を切断して、さらに、後方に捲り、開口線２を切断して開口面板１を捲りあげ、図１１（Ｂ）のように、大きく開口することが出来る。
【０００９】
また従来から、通常の板紙製の各種形状の紙箱に設ける切れ目線は、図１２（Ａ）示すような、多数の長さが３〜１５ｍｍ程度の直線状の切れ目ａを、それぞれ間隔が０．５〜４ｍｍ程度のつなぎｄを介して１列に並べた、ミシン目線と通称する紙箱の切れ目線形状が、一般に広く用いられている。 
【００１０】
また、図１２（Ｂ）に示すような、切断方向の上流側が二股に分かれた直線状の切れ目線ｙが、多数のつなぎｄを介して１列に並べた、紙箱の切れ目線形状も、一般に広く用いられている。
【００１１】
上記のような、紙箱の切れ目線形状は、切断方向に向けて、引張ると、きれいに切断で
きるが、図１０、図１１に示すような、天面板などの開口面板１に設けた開口線２を切断して大きく開口する紙箱の場合、切れ目線形状５を切断するために、つまみ片３を持って、捲り上げる様にするが、開口開始パネル４に、または、開口面板１と開口開始パネル４の間に、設けられた切れ目線形状５は、切れ目線の並んだ列の斜め方向や、横方向に引張って切断するため、引張った方向に切れてしまい、切れ目線が繋がるように切断することができない。
【００１２】
この用途に適した紙箱６０の切れ目線形状として、つまみ片３を設けた開口開始パネル４に、または、開口面板１と開口開始パネル４の間に、図１３のような紙箱の切れ目線形状５を設けることが提案されている。すなわち、図１４に示す、図１３の円囲み部分の拡大図のように、線状の切れ目ａの切断方向上流側の先端に、引張る方向下流側に向けて短小の斜めの切れ目ｂと、短小の平行な切れ目ｃとを順に繋いで、それぞれつなぎｄを介して１列に並べた紙箱の切れ目線形状５があった。 (特許文献１)
公知文献を以下に示す。
【先行技術文献】
【特許文献】
【００１３】
【特許文献１】特開２００４−２２４３６８号公報
【発明の概要】
【発明が解決しようとする課題】
【００１４】
前述の紙箱の切れ目線形状においては、つなぎｄを切断して切れ目線に沿って開口した際に、残った開口開始パネル４の端部の破断形状が、図１５のように、上方に向かって凸の突起ｅが並んだ形状になっているので、内容物を取り出すときに、紙箱に差し込んだ手にこの突起が当たって痛いことがある。
【００１５】
本発明は、つまみ片３を設けた開口開始パネル４の切れ目線の間のつなぎｄを切断して切れ目線形状５に沿って開口し、紙箱に手を差し込んで内容物を取り出すときに、切断部分に手が当たっても、痛く無いようにした紙箱の切れ目線形状を提供することを課題とする。
【課題を解決するための手段】
【００１６】
本発明は係る課題に鑑みなされたものであり、請求項１の発明は、大きく開口するための一対の開口線を平行に設けた開口面板と、
前記開口線の一端側に、該開口面板に接続され、該開口面板と反対側の端縁に、前記一対の開口線の平行の距離より狭い幅のつまみ片を設けた開口開始パネルを有する板紙製の紙箱に設ける、
前記つまみ片の両端より前記一対の開口線にそれぞれ連続する、紙箱の切れ目線形状であって、
線状の切れ目の切断方向上流側の先端に、引張る方向下流側に斜めで短小な第１切れ目を繋ぎ、
前記線状の切れ目の切断方向下流側の先端に、引張る方向上流側に斜めで短小な第２切れ目を繋いだ、多数の屈曲線状の切れ目線を、つなぎを介して１列に並べたことを特徴とする紙箱の切れ目線形状である。
【００１７】
本発明の紙箱の切れ目線形状は、以上のような構成であって、つまみ片を設けた開口開始パネルのつなぎを切断して切れ目線に沿って開口して、紙箱に手を差し込んで内容物を取り出すときに、第２切れ目が、切断方向の次の切れ目線の線状の切れ目の引張る方向下流側まで延びているので、切断後の切断部分の上方に向かって凸の突起が小さくなり、手
が当たっても痛く無い。
【００１８】
本発明の請求項２の発明は、前記線状の切れ目と第１切れ目、および／または、前記線状の切れ目と第２切れ目が曲線により繋がれていることを特徴とする請求項１に記載の紙箱の切れ目線形状である。
【００１９】
本発明は、さらに、前記線状の切れ目と第１切れ目、および／または、前記線状の切れ目と第２切れ目を曲線でつないでいるので、
切断後の切断部分の、上方に向かって凸の突起の角が曲線となり、手が当たったとき、さらに痛さが少なくなる。
【００２０】
本発明の請求項３の発明は、大きく開口するための一対の開口線を平行に設けた開口面板と、
前記開口線の一端側に、該開口面板に接続され、該開口面板と反対側の端縁に、前記一対の開口線の平行の距離より狭い幅のつまみ片を設けた開口開始パネルを有する板紙製の紙箱に設ける、
前記つまみ片の両端より前記一対の開口線にそれぞれ連続する、紙箱の切れ目線形状であって、
引張る方向下流側に凸の湾曲形状の線状の切れ目の切断方向上流側の先端に、引張る方向上流側に凸の湾曲形状の、引張る方向下流方向に伸びる第１切れ目を繋ぎ、
前記線状の切れ目の切断方向下流側の先端に、引張る方向上流側に凸の湾曲形状の、引張る方向下流方向に伸びる第２切れ目を繋いだ、
多数の曲線状の切れ目線を、つなぎを介して、前記第２切れ目と前記第１切れ目を切断方向に並行させ、１列に並べたことを特徴とする紙箱の切れ目線形状である。
【００２１】
請求項３の発明においては、つまみ片を設けた開口開始パネルの切れ目線間のつなぎを切断して切れ目線形状に沿って開口して、紙箱に手を差し込んで内容物を取り出すときに、
その切断された切れ目線形状の下の部分の上端縁は、第２切れ目ｇが、切断方向に凸であるので、この部分によって、つなぎｄが切断されて出来る、上方に向かって凸の突起が、手に当たりにくくなる。そのため、開口して、紙箱に手を差し込んで内容物を取り出すときに、切断部分に手が当たっても手が痛くなることが無い。
【００２２】
第２切れ目の先端を、切断方向の次の切れ目線の線状の切れ目の端に、引張る方向で重なるまで伸ばすことによって、この効果は特に顕著となる。
【発明の効果】
【００２３】
本発明の紙箱の切れ目線形状は、以上のように、つまみ片を設けた開口開始パネルのつなぎを切断して切れ目線に沿って開口し、紙箱に手を差し込んで内容物を取り出すときに、切断部分に手が当たっても、痛く感じることがない。
【図面の簡単な説明】
【００２４】
【図１】本発明の紙箱の切れ目線形状の一例を設けた紙箱の正面を示した説明図である。
【図２】図１の円囲み部分の拡大図である。
【図３】本発明の紙箱の切れ目線形状の一例を設けた紙箱を開口したときの正面を示した説明図である。
【図４】本発明の紙箱の切れ目線形状の他の例を設けた紙箱の正面を示した説明図である。
【図５】図４の円囲み部分の拡大図である。
【図６】本発明の紙箱の切れ目線形状の他の例を設けた紙箱を開口したときの正面を示した説明図である。
【図７】本発明の紙箱の切れ目線形状の更に他の例を設けた紙箱の正面を示した説明図である。
【図８】図７の円囲み部分の拡大図である。
【図９】本発明の紙箱の切れ目線形状の更に他の例を設けた紙箱を開口したときの正面を示した説明図である。
【図１０】天面板などの開口面板１を切断して大きく開口する、板紙製の紙箱の一例の斜視図である。
【図１１】天面板などの開口面板１を切断して大きく開口する、板紙製の紙箱の他の例の斜視図である。
【図１２】（Ａ）従来から、用いられている切れ目線形状の一例の説明図である。（Ｂ）従来から、用いられている切れ目線形状の他の例の説明図である。
【図１３】従来の紙箱の切れ目線形状の一例を設けた紙箱の正面を示した説明図である。
【図１４】図１３の円囲み部分の拡大図である。
【図１５】従来の紙箱の切れ目線形状の一例を設けた紙箱を開口したときの正面を示した説明図である。
【発明を実施するための形態】
【００２５】
以下本発明を実施するための形態につき説明する。
図１は、本発明の紙箱の切れ目線形状の一例を設けた紙箱の正面を示した説明図である。図２は、図１の円囲み部分の拡大図である。
図３は、本発明の紙箱の切れ目線形状の一例を設けた紙箱を開口したときの正面を示した説明図である。
【００２６】
本例の紙箱１０の切れ目線形状５は、図１の紙箱１０の正面図のように、つまみ片３の設けられた開口開始パネル４に施されている。また、開口開始パネル４の内側には、内側面板６が設けられている。
【００２７】
つまみ片３を持って上方に捲り上げると、切れ目線形状５に沿って、開封され、開口線２の設けられた、天面板（開口面板１）に至り、開口線２に接続して、図３のように、開口線２が切断され紙箱の開口面板１が大きく開口される。
【００２８】
図２は、図１の円囲み部分の拡大図である。本例の紙箱の切れ目線形状５は、図２のように、線状の切れ目ａの切断方向上流側の先端に、引張る方向下流側に斜めで短小な第１切れ目ｆを繋ぎ、前記線状の切れ目の切断方向下流側の先端に、引張る方向上流側に斜めで短小な第２切れ目ｇを繋いだ、多数の屈曲線状の切れ目線を、つなぎｄを介して１列に並べた形状である。
【００２９】
つまみ片３を持って上方に捲り上げると、切れ目線の第２切れ目ｇの先端は、次の切れ目線の第１切れ目ｆの先端より、引張る方向の上流側にあるので、第２切れ目ｇからつなぎｄに亀裂が入り、次の切れ目線の第１切れ目ｆに向けて切断される。
【００３０】
図３のように開封されると、切れ目線がつなぎを介して並べられた、切れ目線形状５に沿って開口開始パネル４が切断され、つまみ片３の付いた部分と、その両側部分との、３つに分断される。
【００３１】
このとき、開口開始パネル４の切断された両側部分は、容器本体（トレー状部分）の内側面板６に残るが、その切断された端縁は、第２切れ目ｇが、切断方向の次の切れ目線の線状の切れ目の引張る方向下流側まで延びているので、切断後の切断部分に出来る、上方に向かって凸の突起が小さくなり、そのため、開口して、紙箱に手を差し込んで内容物を取り出すときに、切断部分に手が当たっても、従来技術のように、手が痛くなることが無い。
【００３２】
次に、本発明を実施するための形態の他の例について説明する。
図４は、本発明の紙箱の切れ目線形状の他の例を設けた紙箱の正面を示した説明図である。図５は、図４の円囲み部分の拡大図である。
図６は、本発明の紙箱の切れ目線形状の他の例を設けた紙箱を開口したときの正面を示した説明図である。
【００３３】
本例の２０紙箱の切れ目線形状５は、図４の紙箱２０の正面図のように、つまみ片３の設けられた開口開始パネル４に施されている。また、開口開始パネル４の内側には、内側面板６が設けられている。
【００３４】
つまみ片３を持って上方に捲り上げると、切れ目線形状５に沿って、開封され、開口線２の設けられた、天面板（開口面板１）に至り、開口線２に接続して、図６のように、開口線２が切断され紙箱の開口面板１が大きく開口される。
【００３５】
図５は、図４の円囲み部分の拡大図である。本例の紙箱の切れ目線形状５は、図５のように、線状の切れ目ａの切断方向上流側の先端に、引張る方向下流側に斜めで短小な第１切れ目ｆが曲線により繋がり、前記線状の切れ目ａの切断方向下流側の先端に、引張る方向上流側に斜めで短小な第２切れ目ｇが曲線により繋がった、多数の屈曲線状の切れ目線を、つなぎｄを介して１列に並べた形状である。
【００３６】
つまみ片３を持って上方に捲り上げると、切れ目線の第２切れ目ｇの先端は、次の切れ目線の第１切れ目ｆの先端より、引張る方向の上流側にあるので、第２切れ目ｇからつなぎｄに亀裂が入り、次の切れ目線の第１切れ目ｆに向けて切断される。
【００３７】
図６のように開封されると、切れ目線がつなぎを介して並べられた、切れ目線形状５に沿って開口開始パネル４が切断され、つまみ片３の付いた部分と、その両側部分との、３つに分断される。
【００３８】
このとき、開口開始パネル４の切断された両側部分は、容器本体（トレー状部分）の内側面板６に残るが、その切断された端縁は、第２切れ目ｇが、切断方向の次の切れ目線の線状の切れ目の引張る方向下流側まで延びているので、切断後の切断部分に出来る、上方に向かって凸の突起が小さくなり、そのため、開口して、紙箱に手を差し込んで内容物を取り出すときに、切断部分に手が当たっても、従来技術のように、手が痛くなることが無い。
【００３９】
以下に、本発明を実施するための形態の更に他の例について説明する。
図７は、本発明の紙箱の切れ目線形状の他の例を設けた紙箱の正面を示した説明図である。図８は、図７の円囲み部分の拡大図である。
図９は、本発明の紙箱の切れ目線形状の他の例を設けた紙箱を開口したときの正面を示した説明図である。
【００４０】
本例の紙箱３０の切れ目線形状５は、図７の紙箱３０の正面図のように、つまみ片３の設けられた開口開始パネル４に施されている。また、開口開始パネル４の内側には、内側面板６が設けられている。
【００４１】
つまみ片３を持って上方に捲り上げると、切れ目線形状５に沿って、開封され、開口線２の設けられた、天面板（開口面板１）に至り、開口線２に接続して、図９のように、開口線２が切断され紙箱の開口面板１が大きく開口される。
【００４２】
図８は、図７の円囲み部分の拡大図である。本例の紙箱の切れ目線形状５は、図８のように、線状の切れ目ａが、引張る方向下流側に凸の湾曲形状になっていて、線状の切れ目ａの切断方向上流側の先端に、引張る方向上流側に凸の湾曲形状の第１切れ目ｆが繋がり、引張る方向下流方向に伸びている。
【００４３】
線状の切れ目ａの切断方向下流側の先端に、引張る方向上流側に凸の湾曲形状の第２切れ目ｇが繋がり、引張る方向下流方向に伸びている。そして、線状の切れ目ａ、第１切れ目ｆと、第２切れ目ｇからなる曲線状の多数の切れ目線が、つなぎｄを介して１列に並べられた形状となっている。
【００４４】
つまみ片３を持って上方に捲り上げると、切れ目線の第２切れ目ｇの先端は、次の切れ目線の第１切れ目ｆの先端より、引張る方向の上流側にあるので、第２切れ目ｇからつなぎｄに亀裂が入り、次の切れ目線の第１切れ目ｆに向けて切断される。
【００４５】
図９のように、開封されると、切れ目線がつなぎｄを介して並べられた、切れ目線形状５に沿って開口開始パネル４が切断され、つまみ片３の付いた部分と、その両側部分との、３つに分断される。
【００４６】
このとき、開口開始パネル４の切断された両側部分は、容器本体（トレー状部分）の内側面板６に残るが、その切断された端縁は、第２切れ目ｇが、切断方向に凸であるので、この部分によって、つなぎｄが切断されて出来る上方に向かって凸の突起が、手に当たりにくくなる。そのため、開口して、紙箱に手を差し込んで内容物を取り出すときに、切断部分に手が当たっても、従来技術のように、手が痛くなることが無い。
【００４７】
本発明について例をあげて説明したが、本発明は、この例に限られるものではない。上記の例では、図１０のような、開口面板１が天面にある場合を説明したが、側面に設けられていてもよい。
【００４８】
また、開口面板１の両端部より内側に、開口線２を設けたが、図１１のように開口面板１の両端部に、開口線２を設けた紙箱でもよい。そして、つまみ片３を開口開始パネル４の上端まで延ばして、開口面板１に到らせて、そこから左右方向にそれぞれ、開口面板１の両端、つまり、開口面板１と開口開始パネル４の間に本発明の紙箱の切れ目線形状５を設けてもよい。
【符号の説明】
【００４９】
１・・・開口面板
２・・・開口線
３・・・つまみ片
４・・・開口開始パネル
５・・・切れ目線形状
６・・・内側面板
１０、２０、３０、４０、５０、６０・・・紙箱
ａ、ｂ、ｃ、・・・切れ目
ｆ・・・第１切れ目
ｇ・・・第２切れ目
ｙ・・・上流側が二股に分かれた直線状の切れ目線
ｄ・・・つなぎ
ｅ・・・突起
【図１】
2011225230.tif 000003
【図２】
2011225230.tif 000004
【図３】
2011225230.tif 000005
【図４】
2011225230.tif 000006
【図５】
2011225230.tif 000007
【図６】
2011225230.tif 000008
【図７】
2011225230.tif 000009
【図８】
2011225230.tif 000010
【図９】
2011225230.tif 000011
【図１０】
2011225230.tif 000012
【図１１】
2011225230.tif 000013
【図１２】
2011225230.tif 000014
【図１３】
2011225230.tif 000015
【図１４】
2011225230.tif 000016
【図１５】
2011225230.tif 000017